(57)【要約】【課題】製造工程において問題が生じ難く、短手方向に特異的に、手切れ性を有するとともに粘着剤の表面への滲みだしの心配がない、手切れ性が改善された粘着テープを提供する。【解決手段】基材の裏面に粘着剤を備えた粘着テープ１０であって、短手方向に延設された複数のスリット１５が、該粘着テープ１０の短手方向の両端部１０ｅ近傍に設けられており、前記粘着テープ１０の短手方向の端部１０ｅ側の前記複数のスリットの各々の端部１５ｅと、前記粘着テープ１０の短手方向の端部１０ｅとの間に間隙ｄ１が設けられている粘着テープ。【選択図】図２
2013067772.tif 000002
【特許請求の範囲】
【請求項１】
基材の裏面に粘着剤を備えた粘着テープであって、
短手方向に延設された複数のスリットが、該粘着テープの短手方向の両端部近傍に設けられており、
前記粘着テープの短手方向の端部側の前記複数のスリットの各々の端部と、前記粘着テープの短手方向の端部との間に間隙が設けられている粘着テープ。
【請求項２】
前記複数のスリットは、長手方向において略等間隔に配置されている請求項１に記載の粘着テープ。
【発明の詳細な説明】
【技術分野】
【０００１】
本発明は、粘着テープに関する。特に、手切れ性を改善した粘着テープに関する。
【背景技術】
【０００２】
粘着テープは通常カッターやハサミなどを用いてカットして使用される。しかし、特に、コンビニや医療の現場では、作業効率向上のため、道具を使わずに手で切断できるテープ、即ち手切れ性の良い粘着テープが嘱望されている。
【０００３】
かかる嘱望に対して、種々の技術が提案されている。例えば、特許文献１には、長尺フィルムの縁部に微細な切込みを入れる技術が記載されている。かかる技術を粘着テープに適用することで、手切れ性の良い粘着テープが製造され得る。
【０００４】
また、特許文献２には、幅方向に形成されてなる多数の溝状の凹部と、厚さ方向に形成されてなる多数の微細な孔とを有する薄物からなる基材であって、該孔の形成時に生じたバリは平坦化されてなる基材および粘着剤層からなる粘着テープ、が記載されている。
【０００５】
更に、特許文献３には、基材と該粘着剤層とを貫通する貫通孔が少なくとも一方向の端部が列をなすように設けられており、該貫通孔の形状は扁平多角形状であって、前記列をなす端部のうち少なくとも一方向に対面する端部の角度が９０°未満であることを特徴とする医療用粘着テープ、が記載されている。
【０００６】
特許文献１に記載の長尺フィルムの縁部に微細な切込みを入れる技術を粘着テープに適用すると、手切れ性は改善される。しかし、テープが過剰に切れやすくなり、製造工程においてテープ切断が発生し、工程ロスが増える可能性がある。
【０００７】
また、特許文献２および特許文献３に記載の基材の全面に貫通孔を設ける技術を粘着テープに適用した場合も、手切れ性は改善される。しかし、テープの全面に貫通孔があるため、テープの強度が全体的に低下する。また、切れやすい方向が特定されないため、テープの長手方向にも裂けやすくなる。さらに、貫通孔を設けるため、製造工程においてバリが生じやすくなるとともに、製品に抜きかすが残留する可能性もある。加えて、粘着テープに貫通孔が設けられているため、裏面に積層された粘着剤が、貫通孔を介して、表面に滲みだす可能性がある。
【先行技術文献】
【特許文献】
【０００８】
【特許文献１】特開２００７−４４８０８号公報
【特許文献２】特開２０００−１９１９８８号公報
【特許文献３】特開２００７−２３６７６４号公報
【発明の概要】
【発明が解決しようとする課題】
【０００９】
本発明は係る状況を鑑みなされたもので、製造工程において問題が生じ難く、短手方向に特異的に、手切れ性を有するとともに粘着剤の表面への滲みだしの心配がない、手切れ性が改善された粘着テープを提供することを目的とする。
【課題を解決するための手段】
【００１０】
本発明の粘着テープは、基材の裏面に粘着剤を備えた粘着テープであって、短手方向に延設された複数のスリットが、該粘着テープの短手方向の両端部近傍に設けられており、前記粘着テープの短手方向の端部側の前記複数のスリットの各々の端部と、前記粘着テープの短手方向の端部との間に間隙が設けられている。
【００１１】
上記構成によると、短手方向に延設された複数のスリットが、短手方向の両端部近傍、即ちテープの幅方向の両端部近傍に設けられているため、テープの手切れ性が改善される。
【００１２】
また、粘着テープの幅方向の端部側の各スリットの端部と、粘着テープの幅方向の端部との間に、間隙が設けられている。即ち、スリットの端部は粘着テープの幅方向の端部に達していないため、テープの端部が引っかかって製造工程においてテープが切れることにより工程ロスが生じるといった問題は生じにくい。
【００１３】
また、設けられているのがスリットであるため、貫通孔を設けた場合のように、粘着テープの打ち抜きを必要としない。そのため、製造工程においてバリが発生する可能性も低いとともに、抜きかすが粘着テープに残留する可能性もない。
【００１４】
また、設けられているのがスリットであるため、貫通孔を設けた場合と比して、粘着剤が表面に滲み出す可能性が低い。
【００１５】
また、スリットが短手方向に延設されているため、方向性のない貫通孔を設けた場合と比して、切断方向を短手方向に誘導することができる。
【００１６】
本発明の粘着テープにおいて、前記複数のスリットは、長手方向において略等間隔に配置されていることが好ましい。
【００１７】
上記構成によると、複数のスリットが、長手方向において等間隔に設けられていることにより、長手方向のどの位置においても同様の手切れ性を粘着テープに与えることができる。
【発明の効果】
【００１８】
本発明によると、製造工程において問題が生じ難く、短手方向に特異的に、手切れ性を有するとともに粘着剤の表面への滲みだしの心配がない、手切れ性が改善された粘着テープを提供することができる。
【図面の簡単な説明】
【００１９】
【図１】本発明の実施形態に係る粘着テープの斜視図である。
【図２】本発明の実施形態に係る粘着テープの要部拡大図である。
【発明を実施するための形態】
【００２０】
以下、本発明を適用した粘着テープの実施形態を図１および図２を用いて説明する。なお、以下の説明において、方向および向きについては、図中に記載した方向および向きを用いる。
【００２１】
図１は粘着テープ１０の全体斜視図である。長尺の粘着テープを捲き回してロール状に仕上げられている。この粘着テープは、二軸延伸ポリプロピレン樹脂の基材１１の裏面１４に粘着剤１３が備えられている。また、基材１１の表面１２には、粘着剤１３からの剥離を促す剥離処理が施されている。
【００２２】
図２は粘着テープ１０の部分拡大図である。短手方向に延設された複数のスリット１５が、粘着テープ１０の短手方向の両端部１０ｅ近傍に設けられており、粘着テープ１０の短手方向の端部１０ｅ側の複数のスリット１５の各々の端部１５ｅと、粘着テープ１０の短手方向の端部１０ｅとの間に間隙ｄ１が設けられている。また、この複数のスリット１５は、長手方向において略等間隔に配置されている。
【００２３】
より具体的には、粘着テープ１０の短手方向の両方の端部１０ｅから１ｍｍの間隙ｄ１を開けて、長さｄ２が１ｍｍであるスリット１５が短手方向に延設されている。粘着テープの幅は１５ｍｍであるため、スリット間の最短距離ｄ３は、１１ｍｍとなる。
【００２４】
また、複数のスリット１５の間隔ｄ４は、４ｍｍとなっている。このように、等間隔でかつ短い間隔で、複数のスリット１５が設けられているため、粘着テープ１０は長手方向のいずれからでも、短手方向に、容易に、手で切ることができる。
【００２５】
また、粘着テープ１０の短手方向の両方の端部１０ｅから１ｍｍの間隙ｄ１が設けられているため、端部１０ｅには、切れ込み等を設ける必要がない。そのため、製造工程において、切れ込みが製造機械等に引っかかり、切れてしまうことを原因とする工程ロスは生じ難い。
【００２６】
また、粘着テープ１０は、従来の貫通孔を用いた手切れ性の良い粘着テープに比して、容易に製造することができる。貫通孔を作成するためには、通常、粘着テープに対して打ち抜き加工を行う打抜工程が必要となる。打抜工程において、打ち抜き加工によって打ち抜かれた、抜きかすが、テープに残留して不良品となる工程ロスが発生する。また、打ち抜きの結果、貫通孔周辺にバリが発生し易い。さらに、打抜工程そのものが工程増となる。
【００２７】
一方、粘着テープ１０は、粘着テープにスリット１５を設けるだけで製造できるため、上記欠点が発生しない。スリット１５は、切れ込み加工で作成できるため、打ち抜きに比して、バリが発生し難い。また、抜きかすは生じないので、抜きかすを原因とする工程ロスが生じない。また、粘着テープは通常大幅のものを製造した上で、所定の幅（本実施例においては１５ｍｍ）に切断するのであるが、例えば、特許文献１と同様の構造のカッターロールを用いれば、この切断と同時にスリット１５が作成できるため、特段に工程増となることもない。
【００２８】
また、スリットを設けた場合には、切り欠き部分が存在しないため、切欠き部を有する貫通孔を設けた場合に比して、裏面１４に設けた粘着剤１３が表面１２に回り込むようにしみだす可能性が小さい。かかる滲み出しが生ずると、粘着テープ全体がべたついたものとなり、使用者に不快感を与える。また、程度によっては、不良品となりうる。
【００２９】
更に、複数のスリット１５はそれぞれ短手方向に延設されているため、手切りした場合に粘着テープが切れる方向を、短手方向に誘導する。つまり手切りによる切断に、短手方向の方向性を与えることができる。そのため、方向性のない貫通孔を用いた従来に比して、長手方向に裂ける可能性が小さい、作業性の良い粘着テープを提供することができる。
【００３０】
以上に説明した本実施形態によれば、上記した以下の効果を得ることができる。
【００３１】
（１）本実施形態においては、複数のスリット１５が、長手方向において等間隔に設けられていることにより、長手方向のどの位置においても同様の手切れ性を粘着テープに与えることができる。
【００３２】
（２）本実施形態において、複数のスリット１５が短手方向に延設されているため、方向性のない貫通孔を設けた場合と比して、切断方向を短手方向に誘導することができる。そのため、長手方向に裂ける可能性の低い、作業性の良い粘着テープである。
【００３３】
（３）本実施形態における粘着テープ１０に設けられているのがスリット１５であるため、貫通孔を設けた場合と比して、粘着剤が表面に滲み出す可能性が低い。そのため、使用者に不快感を与える可能性が低く、粘着剤の表面への滲み出しを原因とする不良品の発生率も低くすることができる。
【００３４】
（４）本実施形態の粘着テープは、複数のスリット１５を設けているため、貫通孔を設けた場合のように、製造時に粘着テープの打ち抜きを必要としない。そのため、製造工程においてバリが発生する可能性も低いとともに、抜きかすが粘着テープに残留する可能性もない。
【００３５】
（５）本実施形態の粘着テープは、複数のスリット１５を設けているため、貫通孔を設けた場合のように、製造時に粘着テープの打ち抜きを必要としない。そのため、製造工程においてバリが発生する可能性も低いとともに、抜きかすが粘着テープに残留する可能性もない。
【００３６】
（６）本実施形態の粘着テープにおける複数のスリット１５の短手方向の端部１５ｅと粘着テープの幅方向の端部１０ｅとの間に、間隙ｄ１が設けられている。即ち、スリットの端部は粘着テープの幅方向の端部に達していないため、テープの端部が引っかかって製造工程においてテープが切れることにより工程ロスが生じるといった問題は生じにくい。
【００３７】
（７）本実施形態によると、短手方向に延設された複数のスリット１５が、粘着テープ１０の短手方向の両端部１０ｅ近傍に設けられているため、粘着テープの手切れ性が従来に比して改善される。
【００３８】
なお、上記実施形態は以下のように変更しても良い。
【００３９】
・上記構成によると、基材１１は二軸延伸ポリプロピレン樹脂で構成されているが、他の材料を用いてもよい。用途によって、各種樹脂、紙基材、布、不繊布などを用いてもよい。また、透明であっても、不透過性であってもよいし、無色であっても、着色されていてもよい。
【００４０】
・上記構成によると、複数のスリット１５の間隔ｄ４は、４ｍｍとなっているが、特に限定されることはない。例えば、２０ｍｍ間隔としてもよい。この場合、粘着テープが２０ｍｍ以下の小片になることを防止できる。要は、用途に応じて適当な間隔で複数のスリット１５を設ければよい
【００４１】
・上記構成によると、粘着テープ１０の短手方向の両方の端部１０ｅからの間隙ｄ１は１ｍｍであるが、特に限定されない。端部１０ｅからの間隙ｄ１はどの程度の切れやすさを求めるか、基材との関係等の要素によって適宜設定すればよい。
【００４２】
・上記構成によると、スリット１５の長さｄ２は１ｍｍであるが、特に限定されない。スリット１５の長さｄ２についても、どの程度の切れやすさを求めるか、基材との関係等の要素によって適宜設定すればよい。
【００４３】
・上記構成によると、複数のスリット１５は、長手方向において等間隔に設けられているが、この構成は必須ではない。長手方向のどの位置においても同様の手切れ性を粘着テープ１０に与える必要がなければ、複数のスリット１５の間隔は等間隔でなくてもよい。例えば、長さの異なる粘着テープ片を得たい場合には、複数のスリット１５の間隔を目的に合わせ変えてもよい。
【符号の説明】
【００４４】
１０…粘着テープ
１０ｅ…端部
１１…基材
１２…表面
１３…粘着剤
１４…裏面
１５…スリット
１５ｅ…端部
ｄ１…間隙
ｄ２…（スリットの）長さ
ｄ３…スリット間の最短距離
ｄ４…間隔
【図１】
2013067772.tif 000003
【図２】
2013067772.tif 000004